(57)【要約】【課題】  セキュリティ性を向上させることができ、また、カセットの取扱者にとって作業性を向上させることができるカセット監視システムを提供する。【解決手段】  施錠可能な扉３と、扉３の施錠状態の変化を検知する扉開閉検知部とを備え、扉開閉検知部が扉３の施錠状態が変化したことを検知すると、扉３の施錠状態の変化を示す情報を送信する現金カセット２と、現金カセット２から送信された扉３の施錠状態の変化を示す情報を受信し、受信した扉３の施錠状態の変化を示す情報を記憶部に記憶する上位装置１５とから構成されるカセット監視システムを設ける。【選択図】        図１
2006053810.tif 000002
【特許請求の範囲】
【請求項１】
施錠可能な扉と、該扉の施錠状態の変化を検知する扉開閉検知部とを備え、該扉開閉検知部が前記扉の施錠状態が変化したことを検知すると、該扉の施錠状態の変化を示す情報を送信するカセットと、
前記カセットから送信された扉の施錠状態の変化を示す情報を受信し、該受信した扉の施錠状態の変化を示す情報を記憶部に記憶する上位装置とから構成されるカセット監視システム。
【請求項２】
前記上位装置は、前記記憶部に前記扉の施錠状態が変化した時間も合わせて記憶する請求項１記載のカセット監視システム。
【請求項３】
前記カセットは、自らが存在する位置を検出する位置検出器を備え、前記扉開閉検知部で検知された前記扉の施錠状態の変化を送信する際に、前記位置検出器で検出した位置情報も合わせて送信し、
前記上位装置は、前記カセットから受信した位置情報を、前記扉の施錠状態の変化を示す情報と共に前記記憶部に記憶する請求項１記載のカセット監視システム。
【請求項４】
前記カセットは、扉の施錠が解除されたときに、該扉の施錠を解除した人物を撮影する撮影機構を備え、
前記扉の施錠状態の変化と前記位置情報を送信する際に、前記撮影機構で撮影した人物の画像も合わせて送信し、
前記上位装置は、前記カセットから受信した画像を、前記扉の施錠状態の変化を示す情報と前記位置情報と共に、前記記憶部に記憶する請求項３記載のカセット監視システム。
【請求項５】
前記上位装置は、前記カセットから受信し前記記憶部に記憶した情報を外部に表示する表示部を備えた請求項１、又は請求項２、又は請求項３、又は請求項４記載のカセット監視システム。
【発明の詳細な説明】
【技術分野】
【０００１】
本発明は、カセットと上位装置とから構成されるカセット監視システムに関する。
【背景技術】
【０００２】
従来、銀行等の金融機関に設置される自動取引装置においては、内部に紙幣入出金機、及び硬貨入出金機が設けられており、この紙幣入出金機、及び硬貨入出金機の内部には、それぞれ現金カセットが設けられている。この現金カセットは現金収納スペースと、分離・集積機構を内蔵しており、現金収納スペースは紙幣、あるいは硬貨を収納し、分離・集積機構は、現金収納スペース内に収納されている紙幣、あるいは硬貨を現金カセット外へと繰り出す機能と、紙幣入出金機、あるいは硬貨入出金機内へと搬送されてきた紙幣、あるいは硬貨を現金収納スペース内へと送る機能を備えている。また現金カセットは自動取引装置に対して着脱自在となっており、装置外部への取り出し、そして持ち運びが可能となっている。
【０００３】
現金カセットは扉を備えており、この扉には扉の開閉を規制する機能を有する施錠機構が設けられている。そして、施錠機構の錠の鍵穴に所定の鍵が挿入されて該鍵が所定の方向に回転することにより開錠状態となり、扉は開くことが可能となる。そしてこれにより、取扱者が現金カセット内部の紙幣、あるいは硬貨に接触することが可能となる。
【０００４】
上記施錠機構には、鍵穴を外側から覆う状態で封緘紙が設けられており、扉を開けるには、正規の取扱者が所定の鍵を用意して、封緘紙の上から鍵穴に鍵先を挿入する。このとき錠の上には封緘紙があるので、当然鍵先により封緘紙は破れてしまうことになる。このようにして鍵穴の奥まで鍵を挿入してから所定の方向に所定の角度回転すると、施錠機構が動作して扉を開けることができるようになる。このように封緘紙を破らないと鍵を鍵穴に挿入することができないので、現金管理者は封緘紙の状態を確認することにより、鍵が鍵穴に挿入されて、扉が開けられたか否かを判断することができた。
【０００５】
このように、鍵が錠に挿入される挿入路に、鍵の挿入により破損する紙葉類を設けた現金収納庫がある（例えば、特許文献１参照。）。
【特許文献１】特開平１１−２０３５３２号公報
【発明の開示】
【発明が解決しようとする課題】
【０００６】
上記従来の現金カセットにおいては、扉を開ける毎に新しい封緘紙を施錠機構に取り付けなくてはならないので、取扱者にとって取り付け作業が煩わしいという問題点があった。また鍵で封緘紙を破った時に該封緘紙の破れ片が鍵穴に入り込んでしまう場合があるので、定期的な清掃が必要であるという問題点があった。更に、現金カセットの封緘紙の状態を見ることで、扉の開閉が行われたか否かを判断することは可能であるが、いつ扉が開けられたのか、どこで扉が開けられたのか、誰が扉を開けたのかについては不明であるという問題点があった。
【課題を解決するための手段】
【０００７】
上記課題を解決するために本発明で設けた解決手段は、施錠可能な扉と、該扉の施錠状態の変化を検知する扉開閉検知部とを備え、該扉開閉検知部が前記扉の施錠状態が変化したことを検知すると、該扉の施錠状態の変化を示す情報を送信するカセットと、前記カセットから送信された扉の施錠状態の変化を示す情報を受信し、該受信した扉の施錠状態の変化を示す情報を記憶部に記憶する上位装置とから構成されるカセット監視システムを設けたものである。
【発明の効果】
【０００８】
本発明によれば、現金管理者がカセットから離れた場所にいても、記憶部に扉の施錠状態の変化を示す情報が記憶されているので、全てのカセットの扉の開閉状況をリアルタイムで一元管理することができるようになる。その結果、セキュリティ性を向上させることができる。
【０００９】
また、鍵穴を外側から覆う状態で封緘紙を設ける必要がないので、扉を開ける毎に新しい封緘紙を施錠機構に取り付ける必要がなくなる。また鍵で封緘紙を破ることも無いので、破った時に該封緘紙の破れ片が鍵穴に入り込んでしまうこともない。従って、定期的な清掃も不要となる。その結果、取扱者にとって作業性を向上させることができる。
【発明を実施するための最良の形態】
【００１０】
以下、本発明の実施例を図面に従って説明する。なお各図面に共通する要素には同一の符号を付す。
【実施例１】
【００１１】
図１は実施例１の現金カセット監視システムを示す説明図、図２、図３は実施例１の現金カセットを示す斜視図、図４は実施例１の現金カセットの構成を示す説明図、図５は実施例１の上位装置の記憶部の記憶内容を示す説明図である。
【００１２】
銀行等の金融機関に設置される自動取引装置においては、内部に紙幣入出金機、及び硬貨入出金機が設けられており、この紙幣入出金機、及び硬貨入出金機の内部にはそれぞれ図２、図３に示す現金カセット２が設けられている。この現金カセット２は自動取引装置に対して着脱自在となっており、装置外部への取り出し、そして持ち運びが可能となっている。
【００１３】
現金カセット２は扉３を備えており、この扉３には扉３の開閉を規制する機能を有する図示せぬ施錠機構が設けられている。扉３は通常施錠された状態となっており、施錠機構の鍵穴１７に所定の鍵５が挿入されて該鍵５が所定の方向に回転することにより施錠状態が解除されて開錠状態となり、扉３は開けることが可能となる。そしてこれにより、取扱者が現金カセット２内部の紙幣、あるいは硬貨に接触することが可能となる。また扉３は開状態から閉状態へと変化した時には、施錠されるものとする。
【００１４】
また現金カセット２には各現金カセット２毎に個別に割り当てられた識別情報であるＩＤ情報が付与されており、該ＩＤ情報は現金カセット２内に設けられた、後述する通信制御部に保持されている。
【００１５】
図４に示すように、現金カセット２は現金収納スペース６と、分離・集積機構７と、扉開閉検知機構８と、通信制御部９と、送信器１０と、電源切替部１１と、電池１２を内蔵している。そして現金収納スペース６は紙幣、及び硬貨を収納し、分離・集積機構７は現金収納スペース６内に収納されている紙幣、及び硬貨を現金カセット２外へと繰り出す機能と、紙幣入出金機、あるいは硬貨入出金機内へと搬送されてきた紙幣、及び硬貨を現金収納スペース６内へと送る機能を備えている。
【００１６】
扉開閉検知機構８は扉３の施錠状態の変化を検知し、図示せぬ記憶部に記憶すると共に、通信制御部９に対して扉３の施錠状態の変化を示す情報を送信する。通信制御部９は扉開閉検知機構８から受信した情報が、施錠状態が解除されたことを示す情報であった場合には、扉３が開状態となったことを示す情報として、現金カセット２のＩＤ情報を付与した状態で送信器１０に送信する。一方、通信制御部９が扉開閉検知機構８から受信した情報が、開錠状態から施錠状態へと変化したことを示す情報であった場合には、扉３が閉状態となったことを示す情報として、現金カセット２のＩＤ情報を付与した状態で送信器１０に送信する。
【００１７】
電池１２は充電可能となっており、現金カセット２に内蔵された各部材を動作させるために該各部材に電力を供給する。電源切替部１１は現金カセット２が自動取引装置に設けられている紙幣入出金機、及び硬貨入出金機に装着された状態で、自動取引装置側から現金カセット２に対して電源の供給がある時には、電池１２からの出力を断状態として自動取引装置から供給される電源を現金カセット２の各部材へと供給すると共に、電池１２の容量を確認し、容量が満タン状態でなければ満タン状態となるまで電池１２に対して充電を行うように電源の切り替え制御を行う。
【００１８】
一方、紙幣入出金機、及び硬貨入出金機から現金カセット２が取り外されていて、自動取引装置側から現金カセット２に対して電力の供給が無い時には、電源切替部１１は電池１２から現金カセット２の各部材へと電力を供給するように電源の切り替え制御を行う。
【００１９】
送信器１０は通信制御部９から受信した情報を無線信号に変換して図１に示す無線通信網１３に対して送信し、無線通信網１３は送信機１０から受信した情報を、有線信号に変換して有線通信網１４へと送信する。有線通信網１４は監視センタ２０に設置されている上位装置１５に接続されており、無線通信網１３から受信した情報を有線信号に変換して上位装置１５へと送信する。
【００２０】
上位装置１５は図示せぬ記憶部と、入力部１８と、表示部１９を備えている。記憶部は図５に示す構成となっており、現金カセット２のＩＤ情報毎に、扉３の現在の施錠状態を記憶できるようになっている。そして上位装置１５は有線通信網１４から、扉３の施錠状態を示す情報をＩＤ情報が付与された状態で受信すると、受信したＩＤ情報に対応する扉３の施錠状態を、最新の状態に書き換える。
【００２１】
また上位装置１５は現金管理者から入力部１８を介して現金カセット２の扉３の開閉状態を表示する指示を受けると、記憶部から現金カセット２の扉３の施錠状態を読み出し、ＩＤ情報に対応させて表示部１９に表示する。
【００２２】
そして上記現金カセット２と、監視センタ２０に設置されている上位装置１５とから現金カセット監視システム１が構成されている。
【００２３】
次に上記構成における現金カセット監視システム１の運用時の動作について説明する。
まず、現金カセット２の正規取扱者が現金カセット２の扉３を開ける直前に、監視センタ２０にいる現金管理者に現金カセット２のＩＤ情報（例えば「００００１」）と、施錠を解除して扉３を開ける旨の連絡を送信する。これにより、監視センタ２０にいる現金管理者はＩＤ情報が「００００１」の現金カセット２の扉３の施錠が解除されることを認識することができる。
【００２４】
そして正規取扱者が「００００１」の現金カセット２の扉３を施錠を解除するために、所定の鍵５を用意して鍵穴１７に鍵先を挿入する。そして鍵穴１７の奥まで鍵５を挿入してから所定の方向に所定の角度回転すると、施錠機構が動作して施錠が解除され扉３を開けることができる。
【００２５】
現金カセット２側でも、扉開閉検知機構８が扉３の施錠が解除されたことを検知し、その情報を図示せぬ記憶部に記憶すると共に、通信制御部９に対して扉３の施錠が解除されたことを示す情報を送信する。通信制御部９は扉開閉検知機構８から受信した情報を、「００００１」のＩＤ情報を付与した状態で送信器１０に送信し、該送信器１０で無線信号に変換して、無線通信網１３、及び有線通信網１４を介して上位装置１５へと送信する。上位装置１５では、これらの情報を受信すると、記憶部に図５に示すように、ＩＤ情報「００００１」の現金カセット２の扉３の施錠状態を示す情報を、予め記憶されている「閉」状態から「開」状態へと書き換える。
【００２６】
監視センタにいる現金管理者が、入力部１８から現金カセット２の扉３の施錠状態を表示部１９に表示する指示を入力すると、上位装置１５は記憶部から現金カセット２の扉３の施錠状態を読み出し、ＩＤ情報と共に表示部１９に表示する。
【００２７】
現金管理者は表示部１９に表示された情報を見ることで、現金カセット２の扉３の最新の施錠状態を認識することができる。ここで、ＩＤ情報「００００１」の現金カセット２の扉３の施錠状態を示す情報が、「閉」状態から「開」状態へと変化していても、現金管理者は「閉」状態から「開」状態へと変化する前にＩＤ情報「００００１番」の現金カセット２の扉３の施錠を解除する連絡を受けているので、この扉３の施錠状態の変化は、予め連絡を送ってきた正規の取扱者による操作により行われたものであることをリアルタイムで認識することができる。
【００２８】
一方、現金管理者が、ＩＤ情報「００００１」の現金カセット２の扉３の施錠を解除する連絡を受けてない状態で、ＩＤ情報「００００１」の現金カセット２の扉３の施錠状態を示す情報が、「閉」状態から「開」状態へと変化した場合には、不正な取り扱いにより現金カセット２２の扉３が開けられたことを認識することができる。
【００２９】
以上本発明の実施例１においては、扉開閉検知機構８が扉３の施錠状態が変化したことを検知すると、現金カセット２は扉３の施錠状態の変化を示す情報を上位装置１５へと送信し、上位装置１５は現金カセット２から送信された扉３の施錠状態の変化を示す情報を受信すると、受信した扉３の施錠状態の変化を示す情報を記憶部に記憶することにより、現金管理者が現金カセット２から離れた場所にいても、記憶部に扉３の施錠状態の変化を示す情報が記憶されているので、全ての現金カセット２の扉３の開閉状況をリアルタイムで一元管理することができるようになる。その結果、セキュリティ性を向上させることができる。
【００３０】
また、鍵穴１７を外側から覆う状態で封緘紙４を設ける必要がないので、扉３を開ける毎に新しい封緘紙４を施錠機構に取り付ける必要がなくなる。また鍵５で封緘紙を破ることも無いので、破った時に該封緘紙の破れ片が鍵穴１７に入り込んでしまうこともない。従って、定期的な清掃も不要となる。その結果、取扱者にとって作業性を向上させることができる。
【００３１】
更に、上位装置１５は、現金カセット２の扉３の施錠状態が変化した時間も合わせて記憶部に格納しておけば、その情報を表示部１９に表示することでいつ扉３が開閉されたのかもまた現金管理者は管理することができる。
【実施例２】
【００３２】
次に本発明の実施例２について説明する。なお、上記実施例１と同様の箇所には同一符号を付して説明は省略する。図６は実施例２の現金カセット監視システムを示す説明図、図７は実施例２の現金カセットの構成を示す説明図、図８は実施例２の上位装置の記憶部の記憶内容を示す説明図である。
【００３３】
図６において、本実施例２の現金カセット監視システム２１の構成は上記実施例１と同様であり、現金カセット２２と、監視センタに設置されている上位装置２４とから構成されている。そして本実施例の現金カセット２２は、図７に示すように上記実施例１の現金カセット２に対して更に、位置検出器（ＧＰＳ）２３を内蔵している。
【００３４】
位置検出器２３はＧＰＳ（Ｇｌｏｂａｌ  Ｐｏｓｉｔｉｏｎｉｎｇ  Ｓｙｓｔｅｍ）機能により自らが存在する位置を検出し、通信制御部２６に対して位置情報として送信する。通信制御部２６は位置検出器２３から受信した現金カセット２２の位置情報を、扉開閉検知機構８から受信した扉３の施錠状態を示す情報と共に、現金カセット２２のＩＤ情報を付与した状態で送信器１０に送信し、該送信器１０で無線信号に変換して、無線通信網１３、及び有線通信網１４を介して上位装置２４へと送信する。上位装置２４に設けられている図示せぬ記憶部は、図８に示す構成となっており、現金カセット２２のＩＤ情報に対応して、扉３の施錠状態と共に、現金カセット２２が存在している位置を記憶する。そして上位装置２４では、現金カセット２２から情報を受信すると、記憶部の記憶内容を、受信した現金カセット２２のＩＤ情報に対応させて、扉３の施錠状態を最新の状態に書き換えると共に、現金カセット２２が存在している位置もまた最新の位置に書き換える。
【００３５】
次に上記構成における現金カセット監視システム２１の運用時の動作について説明する。
【００３６】
まず、現金カセット２２の正規取扱者が現金カセット２２の扉３を開ける直前に、監視センタ２０にいる現金管理者に現金カセット２２のＩＤ情報（例えば「００００１」）と、施錠を解除して扉３を開ける旨の連絡を送信する。これにより、監視センタ２０にいる現金管理者はＩＤ情報が「００００１」の現金カセット２２の扉３の施錠がこれから解除されることを認識することができる。
【００３７】
そして正規取扱者が「００００１」の現金カセット２２の扉３の施錠を解除するために、所定の鍵５を用意して鍵穴１７に鍵先を挿入する。そして鍵穴１７の奥まで鍵５を挿入してから所定の方向に所定の角度回転すると、施錠機構が動作して施錠が解除され扉３を開けることができる。
【００３８】
現金カセット２２側でも、扉開閉検知機構８が扉３の施錠が解除されたことを検知し、その情報を図示せぬ記憶部に記憶すると共に、通信制御部２６に対して扉３の施錠が解除されたことを示す情報を送信する。また位置検出器２３はＧＰＳ機能により自らが存在する位置を検出し、通信制御部２６に対して位置情報を送信する。
【００３９】
通信制御部２６は位置検出器２３から受信した現金カセット２２の位置情報を、扉開閉検知機構８から受信した情報と共に、「００００１」のＩＤ情報を付与した状態で送信器１０に送信し、該送信器１０で無線信号に変換して、無線通信網１３、及び有線通信網１４を介して上位装置２４へと送信する。上位装置２４では、これらの情報を受信すると、記憶部に図８に示すように、ＩＤ情報「００００１」の現金カセット２２の扉３の施錠状態を示す情報を、予め記憶されている「閉」状態から「開」状態へと書き換えると共に、現金カセット２２が存在している位置もまた記憶する。
【００４０】
これにより、監視センタにいる現金管理者は、上位装置２４を操作し、記憶部から各現金カセット２２の扉３の施錠状態と存在する位置を読み出させて表示部１９に表示させることでこれらの情報をリアルタイムで認識することができる。
【００４１】
以上本発明の実施例２においては、現金カセット２２に位置検出器２３を備え、扉開閉検知機構８で検知された扉３の施錠状態の変化を上位装置２４へと送信する際に、位置検出器２３で検出した位置情報も合わせて送信し、前記上位装置２４は、現金カセット２２から受信した位置情報を、扉３の施錠状態の変化を示す情報と共に記憶部に記憶することにより、上記実施例１と同様の効果を奏すると共に、仮に不正な取り扱いにより現金カセット２２の扉３の施錠が解除された場合、該現金カセット２２が存在する位置を現金管理者は直ちに知ることができるので、現金カセット２２が存在する場所に警備員や警察官を直ぐに向かわせることができる。その結果、更にセキュリティ性を向上させることができる。
【実施例３】
【００４２】
次に本発明の実施例３について説明する。なお、上記実施例１、あるいは実施例２と同様の箇所には同一符号を付して説明は省略する。図９は実施例３の現金カセット監視システムを示す説明図、図１０は実施例３の現金カセットの構成を示す説明図、図１１は実施例３の現金カセットを示す部分斜視図、図１２は実施例３の撮影機構の構成を示す説明図、図１３は実施例３の上位装置の記憶部の記憶内容を示す説明図である。
【００４３】
図９において、本実施例３の現金カセット監視システム４１の構成は上記実施例１、及び実施例２と同様であり、現金カセット４２と、監視センタに設置されている上位装置４３とから構成されている。そして本実施例の現金カセット４２は、図１０、図１１に示すように上記実施例２の現金カセット２２に対して更に、撮影機構４４と、記憶部４５と、ハーフミラー４７を内蔵している。
【００４４】
図１１、図１２に示すように、撮影機構４４と、ハーフミラー４７は鍵５が挿入される鍵穴１７の上部に設けられており、撮影機構４４はシャッタ４８と、マクロ機能付きのＣＣＤカメラモジュール４９等により構成されている。ハーフミラー４７は現金カセット４２の筐体に取り付けられていて、現金カセット４２の外側からは鏡として見えるが、現金カセット４２の内側からはガラスのように外部が透過して見えるようになっている。
【００４５】
ハーフミラー４７の内側にはシャッタ４８とＣＣＤカメラモジュール４９のレンズが位置付けられており、ＣＣＤカメラモジュール４９はシャッタ４８が開いた時にレンズに映る対象物を撮影して記録し、デジタル信号に変換して記憶部４５へと送信する。
【００４６】
そして記憶部４５は受信した画像を記憶する。なお、撮影機構４４は扉開閉検知機構８から扉３の施錠が解除されたことを示す情報を受信すると、通常閉じた状態となっているシャッタ４８を一旦開き、レンズに映る対象物を撮影する。また、ＣＣＤカメラモジュール４９はマクロ機能付きとなっており、カメラのレンズから広角な範囲の映像を記録することができる。
【００４７】
そして通信制御部５０は記憶部４５から読み出した画像を、位置検出器２３から受信した現金カセット４２の位置情報と、扉開閉検知機構８から受信した扉３の施錠状態を示す情報と共に、現金カセット４２のＩＤ情報を付与した状態で送信器１０に送信し、該送信器１０で無線信号に変換して、無線通信網１３、及び有線通信網１４を介して上位装置４３へと送信する。
【００４８】
上位装置４３に設けられている図示せぬ記憶部は、図１３に示す構成となっており、現金カセット４２のＩＤ情報に対応して、扉３の施錠状態と、現金カセット４２が存在している位置と共に、撮影機構４４で撮影した画像を記憶する。そして上位装置４３では、現金カセット４２から情報を受信すると、記憶部の記憶内容を、受信した現金カセット４２のＩＤ情報に対応させて、扉３の施錠状態を最新の状態に書き換え、現金カセット４２が存在する位置を最新の位置に書き換えると共に、撮影機構４４で撮影した画像もまた記憶する。
【００４９】
次に上記構成における現金カセット監視システム４１の運用時の動作について説明する。
【００５０】
まず、現金カセット４２の正規取扱者が現金カセット４２の扉３を開ける直前に、監視センタ２０にいる現金管理者に現金カセット４２のＩＤ情報（例えば「００００１」）と、施錠を解除して扉３を開ける旨の連絡を送信する。これにより、監視センタ２０にいる現金管理者はＩＤ情報が「００００１」の現金カセット４２の扉３の施錠が解除されることを認識することができる。
【００５１】
そして正規取扱者が「００００１」の現金カセット４２の扉３の施錠を解除するために、所定の鍵５を用意して鍵穴１７に鍵先を挿入する。そして鍵穴１７の奥まで鍵５を挿入してから所定の方向に所定の角度回転すると、施錠機構が動作して施錠が解除され扉３を開けることができる。
【００５２】
現金カセット４２側でも、扉開閉検知機構８が扉３の施錠が解除されたことを検知し、その情報を図示せぬ記憶部に記憶すると共に、通信制御部５０、及び撮影機構４４に対して扉３の施錠が解除されたことを示す情報を送信する。また位置検出器２３はＧＰＳ機能により自らが存在する位置を検出し、通信制御部５０に対して位置情報を送信する。
【００５３】
撮影機構４４は扉開閉検知機構８から扉３の施錠が解除されたことを示す情報を受信すると、通常閉じた状態となっているシャッタ４８を一旦開き、その後直ぐに閉じる。そしてＣＣＤカメラモジュール４９はシャッタ４８が開いた時にレンズに映る対象物を撮影して記録し、デジタル信号に変換して記憶部４５へと送信し、記憶部４５は受信した画像を記憶する。なお、この時、撮影機構４４により撮影されるのは、現金カセット４２の扉３の施錠が解除された時に鍵穴１７の上部から撮影した、扉３の施錠を解除した人物の顔である。
【００５４】
通信制御部５０は記憶部４５から読み出した画像を、位置検出器２３から受信した現金カセット４２の位置情報と、扉開閉検知機構８から受信した情報と共に、「００００１」のＩＤ情報を付与した状態で送信器１０に送信し、該送信器１０で無線信号に変換して、無線通信網１３、及び有線通信網１４を介して上位装置４３へと送信する。
【００５５】
上位装置４３では、これらの情報を受信すると、記憶部に図１３に示すように、ＩＤ情報「００００１」の現金カセット４２の扉３の施錠状態を示す情報を、予め記憶されている「閉」状態から「開」状態へと書き換え、現金カセット４２が存在している位置を記憶すると共に、撮影機構４４で撮影した画像もまた記憶する。
【００５６】
これにより、監視センタ２０にいる現金管理者は、上位装置４３を操作し、記憶部から各現金カセット４２の扉３の施錠状態と存在する位置、更に現金カセット４２の扉３の施錠が解除された時に鍵穴１７の上部から撮影した、扉３の施錠を解除した人物の顔を読み出させて表示部１９に表示させることでこれらの情報をリアルタイムで認識することができる。
【００５７】
以上本発明の実施例３においては、現金カセット４２に、扉３の施錠が解除されたときに、扉３の施錠を解除した人物を撮影する撮影機構４４を備え、扉３の施錠状態の変化と位置情報を上位装置４３へと送信する際に、撮影機構４４で撮影した人物の画像も合わせて送信し、上位装置４３は、現金カセット４２から受信した画像を、扉３の施錠状態の変化を示す情報と位置情報と共に、記憶部に記憶することにより、上記実施例２と同様の効果を奏すると共に、扉３の施錠を解除した人物の顔を記憶することができるので、更にセキュリティ性を向上させることができる。仮に不正な取り扱いにより現金カセット４２の扉３の施錠が解除されて扉３が開けられた場合、該現金カセット４２が存在する位置を現金管理者は直ぐに知ることができると共に、不正に扉３を開けた人物の顔もまた知ることができるので、現金カセット４２が存在する場所に警備員や警察官を直ぐに向かわせたにもかかわらず、不正に扉３を開けた人物を捕らえることができなくても、後日手配することができる。
【００５８】
なお、扉開閉検知機構８が検知するのは扉３の施錠の解除ではなく、扉３の開閉であっても良い。また上記実施例１から実施例３においては、カセットとして紙幣、及び硬貨を収納する現金カセットとしたが、現金カセットに限らず、内部に媒体を収納し、施錠可能な扉を備えた他のカセットに適用可能である。
【図面の簡単な説明】
【００５９】
【図１】実施例１の現金カセット監視システムを示す説明図である。
【図２】実施例１の現金カセットを示す斜視図である。
【図３】実施例１の現金カセットを示す斜視図である。
【図４】実施例１の現金カセットの構成を示す説明図である。
【図５】実施例１の上位装置の記憶部の記憶内容を示す説明図である。
【図６】実施例２の現金カセット監視システムを示す説明図である。
【図７】実施例２の現金カセットの構成を示す説明図である。
【図８】実施例２の上位装置の記憶部の記憶内容を示す説明図である。
【図９】実施例３の現金カセット監視システムを示す説明図である。
【図１０】実施例３の現金カセットの構成を示す説明図である。
【図１１】実施例３の現金カセットを示す部分斜視図である。
【図１２】実施例３の撮影機構の構成を示す説明図である。
【図１３】実施例３の上位装置の記憶部の記憶内容を示す説明図である。
【符号の説明】
【００６０】
１  現金カセット監視システム
２  現金カセット
３  扉
１５  上位装置
２１  現金カセット監視システム
２２  現金カセット
２３  位置検出器
２４  上位装置
４１  現金カセット監視システム
４２  現金カセット
４３  上位装置
４４  撮影機構
【図１】
2006053810.tif 000003
【図２】
2006053810.tif 000004
【図３】
2006053810.tif 000005
【図４】
2006053810.tif 000006
【図５】
2006053810.tif 000007
【図６】
2006053810.tif 000008
【図７】
2006053810.tif 000009
【図８】
2006053810.tif 000010
【図９】
2006053810.tif 000011
【図１０】
2006053810.tif 000012
【図１１】
2006053810.tif 000013
【図１２】
2006053810.tif 000014
【図１３】
2006053810.tif 000015